(57)【要約】【課題】  長期的に使用する事ができ、且つ３次元的に自在に配光制御可能な照明器具の提供を目的とする。【解決手段】  本発明の照明器具は、光源部と、電源部と、制御部と、を含み、前記光源部は、三次元形状の実装基板と、前記実装基板上に配置された複数の発光素子とを含み、かつ前記実装基板は、前記発光素子と、前記電源部とを電気的に接続するための配線パターンが形成されており、前記電源部は、前記各発光素子を駆動させるための駆動電流を、前記配線パターンを介して前記発光素子に供給する事が可能であり、前記制御部は、配光制御手段を含み、前記配光制御手段は、前記配線パターン毎に前記駆動電流を制御する事により、三次元的に配光を制御する事を特徴とする。【選択図】  図１
2019204803.tif 000002
【特許請求の範囲】
【請求項１】
光源部と、電源部と、制御部と、を含み、
前記光源部は、三次元形状の実装基板と、前記実装基板上に配置された複数の発光素子とを含み、かつ前記実装基板には、前記発光素子と、前記電源部とを電気的に接続するための配線パターンが複数形成されており、
前記配線パターンは、前記実装基板毎に、前記各発光素子を横及び縦の少なくとも一方の方向で電気的に接続して発光素子列及び発光素子群を形成し、
前記配線パターンは、前記発光素子列及び前記発光素子群により、被照射領域を区分けし、前記区分けした領域毎に照射光量及び照射光色の少なくとも一方を制御しながら照射し、
前記区分けした領域の内、対象領域のみに光が照射されるよう照射し、
前記光が照射される対象領域は可変し、
前記電源部は、前記各発光素子を駆動させるための駆動電流を、前記配線パターンを介して前記発光素子に供給する事が可能であり、
前記制御部は、配光制御手段を含み、
前記配光制御手段は、前記配線パターン毎に前記駆動電流を制御する事により、三次元的に配光を制御することを特徴とする照明器具。
【請求項２】
前記実装基板が筒状であり、且つ前記筒状の実装基板の上部開口が、下部開口よりも大きいことを特徴とする請求項１記載の照明器具。
【請求項３】
複数の平板形状の実装基板を組み合わせることで、前記筒状の実装基板が形成されていることを特徴とする請求項２記載の照明器具。
【請求項４】
前記実装基板は、４つの平板形状の実装基板を組み合わせた四角筒状であることを特徴とする請求項３記載の照明器具。
【請求項５】
前記複数の発光素子は、前記実装基板上の底部から上部へ向かう複数のライン状に配置されており、且つ前記複数のライン状の発光素子は、前記底部から上部へ向かうに従って、前記ライン間の幅が広がる状態で配置されていることを特徴とする請求項２〜４のいずれか一項に記載の照明器具。
【請求項６】
前記発光素子が、ＬＥＤである請求項１〜５のいずれか一項に記載の照明器具。
【請求項７】
前記ＬＥＤとして、複数色のＬＥＤを用いる請求項６記載の照明器具。
【請求項８】
さらに、人感センサ及び照度センサの少なくとも一方のセンサを含むことを特徴とする請求項１から７のいずれか一項に記載の照明器具。
【請求項９】
さらに、前記制御部は、受信手段を含み、
前記受信手段は、操作信号を受信し、
前記配光制御手段は、前記操作信号に従って、三次元的に配光を制御することを特徴とする請求項１から８のいずれか一項に記載の照明器具。
【請求項１０】
請求項１から９のいずれか一項に記載の照明器具は、道路灯、駐車場灯、横断歩道用照明灯、屋内用照明灯、及び高天井用照明器具からなる群から選択される少なくとも１つに適用されることを特徴とする、照明方法。
【発明の詳細な説明】
【技術分野】
【０００１】
本発明は、照明器具及び照明方法に関する。
【背景技術】
【０００２】
工場若しくは体育館等に設置されている多くの高天井照明器具若しくは防爆照明器具では、水銀ランプ等を光源とした放電灯が使用されてきている。しかしながら、現在、軽量化等の観点から前記光源をＬＥＤ（発光ダイオード）に代えた照明器具が用いられるようになっている。
【０００３】
前記ＬＥＤ照明器具は、例えば、ＬＥＤ実装基板の角度を調整することによりＬＥＤの配光を調節可能である。例えば、特許文献１では、ＬＥＤの配光を変化させるために可動部を設けた照明器具（特許文献１参照）が記載されている。
【先行技術文献】
【特許文献】
【０００４】
【特許文献１】特開２０１１−９０８５２号公報
【発明の概要】
【発明が解決しようとする課題】
【０００５】
しかしながら、例えば、特許文献１記載のように可動部を設けることは、長期的に使用した場合、劣化などの理由により可動部が可動しにくくなるため、メンテナンスの観点から問題がある。また、可動部を設けても配光を自由自在に制御することにおいて限界がある。
【０００６】
そこで、本発明は、長期的に使用する事ができ、且つ３次元的に自在に配光制御可能な照明器具の提供を目的とする。
【課題を解決するための手段】
【０００７】
前記目的を達成するために、本発明の照明器具は、
光源部と、電源部と、制御部と、を含み、
前記光源部は、三次元形状の実装基板と、前記実装基板上に配置された複数の発光素子とを含み、かつ前記実装基板には、前記発光素子と、前記電源部とを電気的に接続するための配線パターンが複数形成されており、
前記配線パターンは、前記実装基板毎に、前記各発光素子を横及び縦の少なくとも一方の方向で電気的に接続して発光素子列及び発光素子群を形成し、
前記配線パターンは、前記発光素子列及び前記発光素子群により、被照射領域を区分けし、前記区分けした領域毎に照射光量及び照射光色の少なくとも一方を制御しながら照射し、
前記区分けした領域の内、対象領域のみに光が照射されるよう照射し、
前記光が照射される対象領域は可変し、
前記電源部は、前記各発光素子を駆動させるための駆動電流を、前記配線パターンを介して前記発光素子に供給する事が可能であり、
前記制御部は、配光制御手段を含み、
前記配光制御手段は、前記配線パターン毎に前記駆動電流を制御する事により、三次元的に配光を制御する事を特徴とする。
【発明の効果】
【０００８】
本発明によれば、長期的に使用する事ができ、且つ３次元的に自在に配光制御可能である。
【図面の簡単な説明】
【０００９】
【図１】図１は、本実施形態の照明器具の構成を示すブロック図である。
【図２】図２は、本実施形態の照明器具の光源部の一例を示す図である。同図（Ａ）は、斜視図を示し、同図（Ｂ）は、平面図を示し、同図（Ｃ）は、正面図を示す。
【図３】図３は、図２の光源部を有する照明灯の一例を示す説明図である。
【図４】図４は、本実施形態の照明器具の光源部の別の一例を示す図である。同図（Ａ）は、斜視図を示し、同図（Ｂ）は、下面図を示す。
【図５】図５（Ａ）は、本実施形態の光源部の別の一例を示す正面図である。図５（Ｂ）は、図５（Ａ）の光源部を含む照明器具を照明灯として適用した場合の説明図である。
【図６】図６（Ａ）は、本実施形態の光源部の別の一例を示す正面図である。図６（Ｂ）は、図６（Ａ）の光源部を含む照明器具を照明灯として適用した場合の説明図である。
【図７】図７（Ａ）は、本実施形態の光源部の別の一例を示す正面図である。図７（Ｂ）は、図７（Ａ）の光源部を含む照明器具を照明灯として適用した場合の説明図である。
【図８】図８は、本実施形態の照明器具を横断歩道用照明灯として適用した場合の説明図である。
【図９】図９は、本実施形態の照明器具を屋内用照明灯として適用した場合の説明図である。
【図１０】図１０は、本実施形態の照明器具を屋内用照明灯として適用した場合の別の説明図である。
【図１１】図１１は、本実施形態の照明器具を人感センサ付き駐車場灯として適用した場合の説明図である。
【図１２】図１２は、本実施形態の照明器具を道路灯として適用した場合の説明図である。
【図１３】図１３（ａ）及び（ｂ）は、本実施形態の照明器具を横断歩道用照明灯として適用した場合の説明図である。
【発明を実施するための形態】
【００１０】
以下、本発明の照明器具について、図面を参照して詳細に説明する。ただし、本発明は、以下の説明に限定されない。なお、以下の図１から図１３において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。
【００１１】
［実施形態１］
図１は、本実施形態の照明器具の構成を示すブロック図である。同図に示すように、本実施形態の照明器具１００は、光源部１０と、電源部２０と、制御部３０と、を主要な構成要素として含む。制御部３０は、配光制御手段４０を含む。同図に示すように、光源部１０、電源部２０、及び制御部３０は、電気的に接続されている。
【００１２】
図２は、本実施形態の照明器具１００の光源部１０の一例を示す図である。同図（Ａ）は、斜視図を示し、同図（Ｂ）は、平面図を示し、同図（Ｃ）は、正面図を示す。
【００１３】
（光源部１０）
同図（Ａ）〜（Ｃ）に示す光源部１０は、４つの平板形状の実装基板１１〜１４と、各実装基板１１〜１４に９つの発光素子２１〜２９が実装基板上に配置されている。各実装基板１１〜１４は、同図（Ａ）〜（Ｃ）に示すように、組み合わされて四角筒状の三次元形状となっている。そして、各実装基板１１〜１４は、同図（Ａ）〜（Ｃ）に示すように、略逆台形形状をしている。そして、９つの発光素子は、同図（Ａ）〜（Ｃ）に示すように、各実装基板１１〜１４上の底部から上部へ向かう３つのライン状に配置されている。そして、前記３つのライン状の発光素子２１〜２９は、前記底部から上部へ向かうに従って、ライン間の幅が広がる状態で配置されている。そして、実装基板１１〜１４は、同図（Ａ）〜（Ｃ）に示すように、実装基板１１〜１４毎に発光素子２１〜２９と、前記電源部（図示せず）とを電気的に接続するための配線パターン４１〜４４を形成している。
【００１４】
（電源部２０）
電源部２０は、各発光素子２１〜２９を駆動させるための駆動電流を、配線パターン４１〜４４を介して発光素子２１〜２９に供給する。電源部２０は、同図（Ａ）〜（Ｃ）では図示していないが、例えば、同図（Ａ）の光源部１０の外部に設けても良いし、光源部１０内部に設けても良い。
【００１５】
（制御部３０）
制御部３０は、前述の通り、配光制御手段４０を含む。配光制御手段４０は、配線パターン４１〜４４毎に前記駆動電流を制御する。前記「駆動電流を制御する」とは、例えば、前記駆動電流量を調節することであってもよいし、前記駆動電流をオンまたはオフすることにより調節することであってもよい。制御部３０は、同図（Ａ）〜（Ｃ）では図示していないが、例えば、同図（Ａ）の光源部１０の外部に設けても良いし、光源部１０内部に設けても良い。
【００１６】
図３は、図２の光源部１０を有する照明灯３００の一例を示す説明図である。配光制御手段４０（図示せず）は、例えば、同図に示すように、４つの実装基板１１〜１４のうち、実装基板１１上に配置された発光素子（ＬＥＤ）２１〜２９（図示せず）のみに駆動電流が供給されるように制御する。これにより、発光素子（ＬＥＤ）２１〜２９の発光により光照射される照射領域３１Ａのみに光が照射されることになる。また、例えば、同図に示す照明灯３００では、配光制御手段４０（図示せず）が、３つの実装基板１２〜１４に配置された発光素子（ＬＥＤ）２１〜２９（図示せず）に供給する駆動電流を小さくするように制御することにより、実装基板１２〜１４上の発光素子（ＬＥＤ）２１〜２９の発光により光照射される照射領域３１Ｂを、照射領域３１Ａと比較して照射光を弱く制御することが可能である。このように、本発明の照明器具は、特許文献１のように可動部を設けることなく配光制御が可能である。このため、前述した可動部を設けることによる長期的な使用上の問題点が生じない。このため、本発明であれば、長期的に使用する事が可能となる。また、本発明によれば、配線パターンを適宜変更することにより、自由自在に配向を制御可能となる。このため、本発明は、三次元的に自在に配光制御が可能となる。そして、本発明は、例えば、特定の被照射領域を好みに合わせて照射光を調節する事が可能である。これにより、例えば、屋内に本発明の照明器具を設けた場合には、屋内の部屋の照明設計の幅が広がり、用途に応じて色々なシーンの照明が可能となる。また、用途に応じて適切な照明を行うことができるので不要な照明を抑制できるので電力消費を抑えることが出来る。
【００１７】
本実施形態において、前記実装基板の形状は、三次元形状であれば特に制限されない。前記実装基板の形状は、例えば、球状、半球状、柱状であっても良いし、図２のような四角筒状等の多角形筒状であっても良いし、円筒状であっても良い。前記実装基板の形状は、より細かく配光制御可能である点から筒状であり、且つ前記実装基板の上部開口面が、下部開口面よりも大きいことが好ましい。また、全実装基板の数も特に制限されず、例えば、前記実装基板の形状が球状若しくは円筒状であれば、一つであっても良いし、前記実装基板の形状が柱状、多角形筒状であれば、複数あっても良い。
【００１８】
本実施形態において、前記実装基板上に配置される発光素子の並べ方は、特に制限されないが、より細かく配光制御可能である点から図２（Ａ）〜（Ｃ）に示すように、複数の発光素子が、前記実装基板上の底部から上部へ向かう複数のライン状に配置されており、且つ前記複数のライン状の発光素子は、前記底部から上部へ向かうに従って、前記ライン間の幅が広がる状態で配置されていることが好ましい。また、図２（Ａ）〜（Ｃ）では、各実装基板１１〜１４上に９つの発光素子２１〜２９が配置されているが、本実施形態において、発光素子の数は、これに限定されない。前記発光素子の数は、より細かな配光制御が可能である点から多いことが好ましい。
【００１９】
前記実装基板の形状が、半球状若しくは球状であれば、図４に示すように、より細かく配光制御可能である点から前記発光素子は、下面から見た場合に放射状に配置されていることが好ましい。図４は、半球状の実装基板１５に複数の発光素子が、放射状に配置されている光源部１０Ｂの一例を示す図であり、同図（Ａ）は、斜視図であり、同図（Ｂ）は、下面図である。同図（Ａ）及び（Ｂ）に示すように、発光素子１６を中心に複数の発光素子１７が、放射状に配置されている。このように配置する事により、発光素子を実装基板上により多く配置する事ができ、より細かく配光制御が可能である。
【００２０】
本実施形態において、前記発光素子としては、特に制限されず、例えば、ＬＥＤ（発光ダイオード）、有機ＥＬ素子（有機エレクトロルミネッセンス素子）等が挙げられる。
【００２１】
本実施形態において、前記ＬＥＤとして、複数種類のＬＥＤを用いても良い。前記複数種類のＬＥＤとしては、特に制限されず、例えば、白色ＬＥＤ、昼白色ＬＥＤ、昼光色ＬＥＤ、電球色ＬＥＤ等が挙げられる。前記複数種類のＬＥＤを用いた場合は、例えば、配光制御手段４０による前記配光制御により、好みに合わせて特定の被照射領域の照射光を調色することができる。また、前記複数種類の発光素子を用いた場合は、例えば、特定の被照射領域のみに特定の発光色の照射光を照射することができる。
【００２２】
図２に示す配線パターン４１〜４４は、各実装基板１１〜１４上の発光素子２１〜２９を電源部２０（図示せず）と電気的に接続しているが、本実施形態において配線パターンは、これに限定されない。例えば、図５〜図７に示すように、各実装基板１１〜１４上にさらに複数の配線パターンを有しても良い。
【００２３】
図５（Ａ）は、本実施形態の照明器具の別の一例を示す正面図である。同図に示す光源部５０は、各実装基板１１〜１４に３つの配線パターン５１〜５３が横方向に形成されている。すなわち、発光素子２１、２６、及び２７が配線パターン５１により、電気的に接続されており、発光素子２２、２５、及び２８が配線パターン５２により、電気的に接続されており、発光素子２３、２４、及び２９が配線パターン５３により、電気的に接続されている。同図に示す光源部５０は、前記配線パターン５１〜５３が形成されていること以外は、図２に示す光源部１０と同一である。
【００２４】
図５（Ｂ）は、同図（Ａ）の光源部５０を有する照明灯５００の一例を示す図である。同図（Ｂ）の照明灯５００では、配光制御手段４０（図示せず）により、配線パターン５１（図示せず）を介して発光素子２１、２６及び２７（図示せず）に供給する駆動電流を大きくし、配線パターン５３（図示せず）を介して発光素子２３、２４及び２９（図示せず）に供給する駆動電流を小さく調節している。このようにすることで、同図（Ｂ）に示すように、被照射領域の内、遠隔領域４５Ａに照射する照射光量を大きくし、照明灯５００の近傍領域４５Ｂに照射する照射光量を小さくすることができる。これにより、近傍領域４５Ｂにいるヒト４７に対して、グレアを低減させることができ、遠隔領域４５Ａにいるヒト４８に対して、より明るい光を照射することができる。
【００２５】
図６（Ａ）は、本実施形態の光源部の別の一例を示す正面図である。同図に示す光源部６０は、各実装基板１１〜１４に３つの配線パターン５６〜５８が縦方向に形成されている。すなわち、発光素子２１〜２３が配線パターン５６により、電気的に接続されており、発光素子２４〜２６が配線パターン５７により、電気的に接続されており、発光素子２７〜２９が配線パターン５８により、電気的に接続されている。同図に示す光源部６０は、配線パターン５６〜５８が形成されていること以外は、図２に示す光源部１０と同一である。
【００２６】
図６（Ｂ）は、同図（Ａ）の照明器具を有する照明灯６００の一例を示す図である。同図（Ｂ）の照明灯６００では、配光制御手段４０（図示せず）により、配線パターン５６（図示せず）を介して発光素子２１〜２３（図示せず）に供給する駆動電流を大きくし、配線パターン５８（図示せず）を介して発光素子２７〜２９（図示せず）に供給する駆動電流を小さく調節している。このようにすることで、同図（Ｂ）に示すように、被照射領域の内、照射領域５９Ａに照射する照射光量を大きくし、照射領域５９Ｂに照射する照射光量を小さくすることができる。これにより、より細かな配光制御が可能となる。
【００２７】
図７（Ａ）は、本実施形態の光源部の別の一例を示す正面図である。同図に示す光源部７０は、図２に示す実装基板１１〜１４にそれぞれ１６個の発光素子１２１〜１３６が縦に４列、横に４列ずつ配置されている。そして、基板１１周辺部の発光素子１２１〜１３２が、配線パターン１５１により、電気的に接続されており、基板１１内部の発光素子１３３〜１３６が、配線パターン１５２により、電気的に接続されている。これら以外は、図２に示す光源部１０と同一である。
【００２８】
図７（Ｂ）は、同図（Ａ）の照明器具を有する照明灯７００の一例を示す図である。同図（Ｂ）の照明灯７００では、配線パターン１５１及び１５２が形成されることにより、基板１１から照射される被照射領域の内、内側と外側とに分けて照射光を個別に制御する事が出来る。これにより、例えば、内側を明るくし、外側を暗くすることにより、照射範囲を内側（中心側）に集中させてスポットライトのような制御が可能である。
【００２９】
本実施形態において、さらに制御部３０は、例えば、照明制御機器等からの操作信号を受信する受信手段を備え、前記操作信号に従って、配光制御手段４０が、三次元的に配光を制御しても良い。
【００３０】
また、本実施形態における照明器具は、人感センサや照度センサ等と連携して配光制御を行っても良い。
【００３１】
本実施形態において、さらに例えば、前記発光素子を保護する保護カバー等を必要に応じて設けても良い。
【００３２】
本実施形態の照明器具は、特に制限されないが、例えば、道路灯、駐車場灯、横断歩道用照明灯、屋内用照明灯、工場若しくは倉庫等の高天井用照明器具等の照明灯に好適に使用可能である。
【００３３】
本発明の照明器具は、３次元的に配光を自在に制御可能であり、例えば、特定の被照射領域を好みに合わせて照射光を調節する事が可能である。このため、例えば、屋内に本発明の照明器具を設けた場合には、屋内の部屋の照明設計の幅が広がり、用途に応じて色々なシーンの照明が可能となる。また、用途に応じて適切な照明を行うことができるので不要な照明を抑制できるので電力消費を抑えることが出来る。
【００３４】
以上、本実施形態の照明器具について説明したが、以下では、本実施形態の照明方法の一例について具体例を挙げながら説明する。
【００３５】
本実施形態の照明方法は、前記照明器具を用い、被照射領域を区分けし、前記区分けした領域毎に照射光量及び照射光色の少なくとも一方を制御しながら照射することを特徴とする。
【００３６】
本実施形態の照明方法は、前記区分けした領域の内、対象領域のみに光が照射されるよう照射する、又は対象領域のみに光が照射されないように照射してもよい。また、前記光が照射される対象領域を可変しても良い。
【００３７】
以下では、本発明の照明器具を用いた前記照明方法の具体例について説明する。但し、本発明の照明方法は、以下の具体例に限定されない。
【００３８】
まず、本発明の照明器具を横断歩道用照明灯として適用した場合の前記照明方法について、図８を用いて説明する。同図では、被照射領域の内、車道側と、歩道側とを区分けしながら照射光量を制御している。
【００３９】
図８は、本発明の照明器具を横断歩道用照明灯に適用した場合の説明図である。同図に示す照明灯６００は、図６（Ｂ）に示す照明灯６００と同一である。同図に示すように、被照射領域には、車道６２及び横断歩道６３が含まれている。そして、照明灯６００の実装基板１１の発光素子２１〜２３（以下、発光素子列１という）は、車道６２を照射し、実装基板１１の発光素子２４〜２６（以下、発光素子列２という）は、横断歩道６３を照射する。この場合、配光制御手段４０（図示せず）は、発光素子列１を電気的に接続している配線パターン５６（図示せず）に供給される駆動電流を小さくするように調節する。これにより、発光素子列１により照射される光量のみが、それ以外の発光素子と比較して小さく調節されるため、車道６２は、車道６２以外の被照射領域と比較して、暗く照射される。これにより、車道６２側のグレアを低減させることができるため、車道６２側のドライバー６４は、歩行者６５を確認しやすくなる。一方、発光素子列２により照射される横断歩道６３は、明るく照射されているため、例えば高齢者等の歩行者は、夜間であっても安心して横断歩道６３を確認しながら歩行できる。このように、本発明の照明器具を横断歩道用照明灯として適用すれば、車道側を暗く照射させるとともに、横断歩道を明るく照射することが出来る。これにより、ドライバー６４側にとっては、注意を喚起させ事故を防止することができ、歩行者側にとっては、安心して歩道を横断することが出来る。このように、本発明の照明器具は、横断歩道用照明灯として好適に用いることが出来る。
【００４０】
尚、本例の照明灯６００において、車道６２側を暗くさせることについて説明したが、本例の照明灯６００は、これに限定されない。例えば、人感センサ等が歩行者を検知した場合には、発光素子列１を電気的に接続している配線パターン５６に供給される駆動電流を短時間で増減させても良い。これにより、発光素子列１により照射される光量が変化する為、車道６２側に照射される光は、点滅するように照射されるため、ドライバー６４側に注意を促すことが出来る。
【００４１】
以上、本発明の照明器具を横断歩行用照明灯として適用した場合について説明したが、本発明の照明器具は、これに限定されず、例えば、卒業式場等のセレモニーにおける屋内用照明灯としても適用可能である。以下では、図９を用いて、本発明の照明器具を屋内用照明灯として適用した場合について説明する。同図の屋内用照明灯では、卒業生の通路側と、保護者席側とが区分けされて照射光色を制御している。
【００４２】
図９は、本発明の照明器具を屋内用照明灯に適用した場合の説明図である。同図に示す照明灯８００の光源部は、実装基板１２の発光素子２２、２５、及び２８（以下、発光素子列３という）が白色光ＬＥＤであり、それ以外の発光素子が、電球色ＬＥＤであること以外は、図５（Ａ）の光源部５０と同一である。同図に示すように、被照射領域には、卒業生の入場通路９１及び保護者席９２が含まれている。発光素子列３は、通路９１を白色光ＬＥＤで照射し、それ以外の発光素子は、保護者席９２を電球色ＬＥＤで照射する。この場合、配光制御手段４０（図示せず）は、発光素子列３を電気的に接続している配線パターン５２と、発光素子列３以外の発光素子を電気的に接続している配線パターン５１及び５３とを分けて配光制御する。これにより、通路９１を白色光で照射し、保護者席９２を電球色で照射する事ができる。このようにして、本発明の照明器具をスポットライトのようにして屋内用照明灯に適用できる。
【００４３】
尚、本例の照明灯８００において、特定の発光色（白色光）を特定の対象領域（通路９１）に照射する方法の一例を説明したが、本発明の照明方法はこれに限定されない。例えば、図１０のようにしてさらにもう一つの照明灯９００を設けて通路９１に照射される照射光を調色しても良い。同図の照明灯９００では、実装基板１４の発光素子２２、２５、及び２８（以下発光素子列４という）が赤色光ＬＥＤであり、それ以外の発光素子が、電球色ＬＥＤであること以外は、図５（Ａ）の光源部５０と同一である。そして、前記発光素子列３及び発光素子列４を配光制御手段が個別に配光制御することにより、好みに合わせて赤色がかった白色光に調色することができる。このように、本発明の照明器具を用いて、特定の照射（対象）領域について好みに合わせて調色出来る。
【００４４】
以上、本発明の照明器具を屋内用照明灯として適用した場合について説明したが、本発明の照明器具は、これに限定されず、例えば、人感センサ付きの駐車場灯としても適用可能である。以下では、図１１を用いて、本発明の照明器具を人感センサ付きの駐車場灯として適用した場合について説明する。同図の駐車場灯では、照射領域における前記区分けした領域の内、対象領域（ヒト）のみに光が照射されるよう照射する。
【００４５】
図１１は、本発明の照明器具を人感センサ付き駐車場灯に適用した場合の説明図である。同図に示す駐車場灯１０００の光源部６０は、図６に示す光源部６０と同一である。同図に示す駐車場灯１０００は、人感センサ（図示せず）を含み、前記人感センサによりヒト７２を検知する。そして、前記センサと、制御部３０（図示せず）とは、電気的に接続されており、制御部３０の配光制御手段４０（図示せず）は、被照射領域の内、前記検知したヒト７２の領域のみを明るく照らすように配光制御する。すなわち、配光制御手段４０は、実装基板１１の発光素子２１〜２３（以下、発光素子列５という）を電気的に接続している配線パターン５６（図示せず）に供給される駆動電流のみをＯＮにすることにより、ヒト７２の領域のみ明るく照らす。このようにして、ヒトがいる領域のみを追いかけるように光を照射することができる。これにより、本発明の照明器具を駐車場灯として使用した場合には、不要な照明を抑えることが出来る。このため、不要な照明を抑制する事ができるので電力消費を抑えることができる。さらに、例えば、ヒトがいる領域のみを追いかけるように光を照射することができるので、防犯機能を有する駐車場灯としても適用できる。
【００４６】
尚、本例の駐車場灯１０００において、人感センサにより検知したヒトがいる領域のみを明るく照らすように照射する方法の一例を説明したが、これに限定されない。例えば、本発明の照明器具を用いて、駐車場所が把握できる駐車システムと連動して、自動車付近のみを照射するように配光制御しても良い。
【００４７】
以上、本発明の照明器具を駐車場灯として適用した場合について説明したが、本発明の照明器具は、これに限定されず、例えば、道路灯としても適用可能である。以下では、図１２を用いて、本発明の照明器具を道路灯として適用した場合について説明する。同図の道路灯では、被照射領域における区分けした領域の内、対象領域（水田）のみに光が照射されないよう照射する事が可能である。
【００４８】
図１２は、本発明の照明器具を道路灯として適用した場合の説明図である。同図に示す道路灯１１００の光源部５０は、図５（Ａ）に示す光源部５０と同一である。同図に示すように、被照射領域には、車道８２、歩道８３、及び水田８４が含まれる。そして、光源部５０の実装基板１１の発光素子２１〜２９（以下、発光素子群６という）及び実装基板１２の発光素子２３、２４、及び２９（以下、発光素子列７という）は、車道８２及び歩道８３を照射し、実装基板１２の発光素子２１〜２２、２５〜２８（以下、発光素子群８という）は、水田８４を照射する。この場合、配光制御手段４０（図示せず）は、発光素子群８を電気的に接続している配線パターンに供給される駆動電流をＯＦＦにするよう制御する。すると、同図に示すように、水田８４のみに光が照射されないように配光制御できる。これにより、例えば、夜間のみに、前記駆動電流をＯＦＦとすることにより、夜間照射による稲作の光害を抑制することが出来る。このように、本発明の照明器具は、道路灯として好適に使用する事が出来る。
【００４９】
以上、本発明の照明器具を道路灯として適用した場合について説明したが、本発明の照明器具は、これに限定されず、例えば、横断歩道用照明灯としても適用し、光が照射される対象領域を可変させることも可能である。以下では、図１３を用いて、本発明の照明器具を横断歩道用照明灯として適用した場合について説明する。同図の横断歩道用照明灯は、照射される対象領域（横断歩道）を可変させて照射することができ、例えば、特定の歩道にヒトを誘導させることができる。
【００５０】
以下では、本実施形態の照明器具を横断歩道用照明灯として適用した場合の前記照明方法を、図１３を用いて説明する。
【００５１】
図１３は、本実施形態の照明器具を横断歩道用照明灯として適用した場合の説明図である。同図に示す照明灯１２００の光源部６０は、図６（Ａ）に示す光源部６０と同一である。同図に示すように、被照射領域には、横断歩道９２及び横断歩道９３が含まれる。実装基板１１の発光素子２４〜２６（以下、発光素子列９という）は、横断歩道９２を照射し、実装基板１２の発光素子２４〜２６（以下、発光素子列１０という）は、横断歩道９３を照射する。同図（Ａ）では、横断信号９４は、赤色に点灯しており、同図（Ｂ）では、横断信号９４は、青色に点灯している。この場合、同図（Ａ）に示すように、配光制御手段４０（図示せず）は、発光素子列１０を電気的に接続している配線パターンに供給される駆動電流のみをＯＮとする。これにより、ヒト９５を横断歩道９３の方向に誘導させることができる。一方、同図（Ｂ）の場合には、配光制御手段４０（図示せず）は、発光素子列９を電気的に接続している配線パターンに供給される駆動電流のみをＯＮとする。これにより、ヒトを横断歩道９２の方向に誘導させることができる。このように、本実施形態の照明方法を用いて、特定の方向に誘導させることができる。
【００５２】
尚、本例の照明灯１２００において、特定の照射（対象）領域のみを照射することにより、特定の方向に誘導させることを説明したが、本発明の照明方法は、これに限定されない。例えば、特定の照射（対象）領域のみ発光色の異なる照射光を照射することにより、特定の方向に誘導させても良い。
【００５３】
以上、実施形態を参照して本発明を説明したが、本発明は、上記実施形態に限定されるものではない。本発明の構成や詳細には、本発明のスコープ内で当業者が理解しうる様々な変更をすることができる。
【符号の説明】
【００５４】
１０、５０、６０、７０    光源部
１１〜１４  実装基板
２０    電源部
２１〜２９、１２１〜１３６  発光素子
３０    制御部
３１Ａ、３１Ｂ、５９Ａ、５９Ｂ  照射領域
４０    配光制御手段
４１〜４４、５１〜５３、５６〜５８、１５１〜１５２  配線パターン
４５Ａ          遠隔領域
４５Ｂ          近傍領域
４７〜４８      ヒト
６２              車道
６３              横断歩道
６４              ドライバー
６５              歩行者
１００          照明器具
３００、５００、６００、７００、８００、９００、１１００、１２００          照明灯
【図１】
2019204803.tif 000003
【図２】
2019204803.tif 000004
【図３】
2019204803.tif 000005
【図４】
2019204803.tif 000006
【図５】
2019204803.tif 000007
【図６】
2019204803.tif 000008
【図７】
2019204803.tif 000009
【図８】
2019204803.tif 000010
【図９】
2019204803.tif 000011
【図１０】
2019204803.tif 000012
【図１１】
2019204803.tif 000013
【図１２】
2019204803.tif 000014
【図１３】
2019204803.tif 000015